(57)【要約】【課題】  衝撃に対して信頼性の高い磁気ヘッド装置を提供する。【解決手段】本発明の磁気ヘッド装置（１０）は、情報記録媒体（１２）に磁界を印加するヘッド本体（２０）と、本体部（３４）と、本体部（３４）に連結された弾性部（３２）とを含む連結部（３０）と、ヘッド本体（２０）に設けられた第１の位置規制部（５０）と、第２の位置規制部（５０）とを備える。弾性部（３２）は、ヘッド本体（２０）が揺動可能なようにヘッド本体（２０）を支持する。第１の位置規制部（５０）は、弾性部（３２）に当接することによってヘッド本体（２０）の位置を規制する。第２の位置規制部（５０）は、弾性部（３２）に当接する第１の位置規制部（５０）の位置を規制することによって、ヘッド本体（２０）の位置を規制する。【選択図】図２
2005317174.tif 000002
【特許請求の範囲】
【請求項１】
情報記録媒体に磁界を印加するヘッド本体と、
本体部と、前記本体部に連結され、前記ヘッド本体が揺動可能なように前記ヘッド本体を支持する弾性部とを含む連結部と、
前記ヘッド本体に設けられた第１の位置規制部であって、前記弾性部に当接することによって前記ヘッド本体の位置を規制する、第１の位置規制部と、
前記弾性部に当接する前記第１の位置規制部の位置を規制することによって、前記ヘッド本体の位置を規制する第２の位置規制部と
を備える、磁気ヘッド装置。
【請求項２】
前記第２の位置規制部は、前記弾性部を介して前記第１の位置規制部と対向するように配置されている、請求項１に記載の磁気ヘッド装置。
【請求項３】
前記第２の位置規制部は、前記弾性部および前記第１の位置規制部の少なくとも一方に当接して、前記第１の位置規制部の位置を規制する、請求項１に記載の磁気ヘッド装置。
【請求項４】
前記第２の位置規制部は、前記本体部に設けられている、請求項１に記載の磁気ヘッド装置。
【請求項５】
前記本体部は、前記弾性部に連結された剛体部と、前記剛体部に連結されたさらなる弾性部とを含む、請求項１に記載の磁気ヘッド装置。
【請求項６】
前記弾性部と前記剛体部と前記さらなる弾性部とは、支持部材によって形成される、請求項５に記載の磁気ヘッド装置。
【請求項７】
前記本体部は、前記支持部材を固定する固定部をさらに含む、請求項６に記載の磁気ヘッド装置。
【請求項８】
前記本体部は、アーム部材をさらに含み、
前記第２の位置規制部は前記アーム部材に取り付けられている、請求項７に記載の磁気ヘッド装置。
【請求項９】
前記アーム部材は、前記固定部に連結されている、請求項８に記載の磁気ヘッド装置。
【請求項１０】
前記アーム部材は、前記固定部に対して回動可能に設けられている、請求項９に記載の磁気ヘッド装置。
【請求項１１】
前記第２の位置規制部の端部に摺動突起部が設けられている、請求項８に記載の磁気ヘッド装置。
【請求項１２】
前記摺動突起部は曲面を有する、請求項１１に記載の磁気ヘッド装置。
【請求項１３】
前記第２の位置規制部は前記剛体部に設けられている、請求項５に記載の磁気ヘッド装置。
【請求項１４】
前記第１の位置規制部は、前記ヘッド本体の重心の近傍に配置されている、請求項１に記載の磁気ヘッド装置。
【請求項１５】
前記連結部は自由端と固定端とを有し、前記弾性部は前記連結部のうち自由端の側に配置され、前記本体部は前記連結部のうち固定端の側に配置され、
前記第１の位置規制部は、前記ヘッド本体のうち前記連結部の前記固定端に最も近い部分以外の部分に設けられている、請求項１に記載の磁気ヘッド装置。
【請求項１６】
前記第１の位置規制部が前記弾性部に当接することによって、前記ヘッド本体の重心が移動する向きと反対の向きの力を前記ヘッド本体の重心に対して付与するように、前記第１の位置規制部は前記ヘッド本体に設けられている、請求項１に記載の磁気ヘッド装置。
【請求項１７】
前記連結部は、第１の方向に延びた形状を有しており、
前記第１の位置規制部は、前記第１の方向と直交するように設けられている、請求項１に記載の磁気ヘッド装置。
【請求項１８】
前記本体部の位置を規制する第３の位置規制部を備える、請求項１に記載の磁気ヘッド装置。
【請求項１９】
前記第２の位置規制部は、前記第３の位置規制部に取り付けられている、請求項１８に記載の磁気ヘッド装置。
【請求項２０】
前記ヘッド本体に設けられた第４の位置規制部であって、前記本体部に当接することによって前記ヘッド本体の位置を規制する第４の位置規制部をさらに備える、請求項１に記載の磁気ヘッド装置。
【請求項２１】
前記磁気ヘッド装置は、前記ヘッド本体が前記情報記録媒体と接触摺動するか、または、前記情報記録媒体から微少な距離を保って浮上する第１の位置と、前記ヘッド本体が前記情報記録媒体から離間した位置にある第２の位置との間で移動する、請求項１に記載の磁気ヘッド装置。
【請求項２２】
情報記録媒体に磁界を印加するヘッド本体と、
本体部と、前記本体部に連結され、前記ヘッド本体が揺動可能なように前記ヘッド本体を支持する弾性部とを含む連結部と、
前記ヘッド本体に設けられた第１の位置規制部と、
前記第１の位置規制部の位置を規制することによって、前記ヘッド本体の位置を規制する第２の位置規制部と
を備え、
前記本体部は、前記弾性部よりも高剛性の高剛性部を含み、
前記第２の位置規制部は、前記高剛性部に連結されている、磁気ヘッド装置。
【請求項２３】
前記第２の位置規制部は、前記第１の位置規制部に当接することによって、前記第１の位置規制部の位置を規制する、請求項２２に記載の磁気ヘッド装置。
【請求項２４】
前記弾性部は開口部を有し、
前記第１の位置規制部は、前記弾性部の前記開口部内を移動して、前記第２の位置規制部に当接する、請求項２３に記載の磁気ヘッド装置。
【請求項２５】
前記弾性部は開口部を有し、
前記ヘッド本体は、前記弾性部の前記開口部内に配置され、
前記第１の位置規制部が前記弾性部をまたぐように、前記第１の位置規制部は前記ヘッド本体に設けられ、
前記第１の位置規制部の一部は、前記弾性部の外を移動して、前記第２の位置規制部に当接する、請求項２３に記載の磁気ヘッド装置。
【請求項２６】
前記本体部は、前記弾性部に連結された剛体部と、前記剛体部に連結されたさらなる弾性部と、前記さらなる弾性部に隣接する固定部とを含み、
前記高剛性部は、前記固定部であり、
前記第２の位置規制部は、前記固定部に連結されている、請求項２２に記載の磁気ヘッド装置。
【請求項２７】
前記本体部は、前記弾性部に連結された剛体部と、前記剛体部に連結されたさらなる弾性部とを含み、
前記高剛性部は、前記剛体部であり、
前記第２の位置規制部は、前記剛体部に連結されている、請求項２２に記載の磁気ヘッド装置。
【請求項２８】
請求項１から２７のいずれかに記載の磁気ヘッド装置と、
光学ヘッド装置と
を備える、光磁気ディスク装置。
【発明の詳細な説明】
【技術分野】
【０００１】
本発明は、情報記録媒体に磁界を印加する磁気ヘッド装置および前記磁気ヘッド装置を備える光磁気ディスク装置に関する。
【背景技術】
【０００２】
情報記録媒体の一種として、ミニディスク（以下、ＭＤと称する）に代表される光磁気ディスクが知られている。光磁気ディスクは、光磁気記録層を有する複数の層を含む。光磁気ディスクは、カートリッジに収納されており、カートリッジには、光磁気ディスクの一部の両面を露出する開口部と、開口部を開放または閉塞するように移動するシャッターとが設けられている。
【０００３】
光磁気ディスク装置は、装填された光磁気ディスクに情報を記録し、光磁気ディスクに記録された情報を再生する。光磁気ディスク装置は、光磁気ディスクを回転するディスク回転駆動機構と、光磁気ディスクの一方の面側に配置され、光磁気ディスクの光磁気記録層に集光した光ビームを照射する光学ヘッド装置と、光磁気ディスクの他方の面側に配置され、光磁気ディスクの光磁気記録層に磁界を印加する磁気ヘッド装置とを備える。磁気ヘッド装置は、装填された光磁気ディスクを介して光学ヘッド装置と対向するように配置されている。
【０００４】
光磁気ディスクを光磁気ディスク装置に装填すると、カートリッジのシャッターが移動して、カートリッジの開口部が開放され、開口部から光磁気ディスクの一部の両面が露出される。光磁気ディスク装置を駆動すると、ディスク回転駆動機構は光磁気ディスクを回転する。露出された光磁気ディスクの一方の面は、光学ヘッド装置の光学系によって集光された光ビームに照射される。このとき、露出された光磁気ディスクの他方の面には、磁気ヘッド装置から磁界が印加される。磁気ヘッド装置によって印加される磁界の向きは、記録すべき情報に応じて変調されている。光ビームの照射によって光磁気ディスクの光磁気記録層の光ビーム照射部分がキュリー温度以上に加熱されると、光磁気記録層の加熱された部分は、保磁力を消失し、磁気ヘッド装置から印加された磁界の向きに応じた向きに磁化される。ディスク回転駆動機構によって光磁気ディスクは回転しているので、光磁気記録層の加熱された部分が光ビームに対して相対的に移動して光ビームに照射されなくなると、光磁気記録層のその部分の温度は、キュリー温度よりも低くなり、磁化の向きが固定される。
【０００５】
以上のように、記録すべき情報に応じて光磁気記録層の所定の部分の磁化の向きを固定することによって、光磁気ディスクに２値の情報を記録することができる。光磁気ディスクに記録された情報を再生するときは、光磁気ディスクの光磁気記録層の磁化の方向に影響を与えない強度の光ビームで光磁気ディスクを照射し、光磁気ディスクによって反射された光を検出する。光磁気ディスクによって反射された光の偏光方向は、光磁気記録層の磁化の方向に応じて変化するため、光磁気ディスクによって反射された光の偏光方向を検出することによって、光磁気ディスクに記録された２値の情報を再生することができる。
【０００６】
光磁気ディスクが回転しているとき、光磁気ディスクに面振れが生じることがある。このため、光磁気ディスク装置の磁気ヘッド装置には、光磁気ディスクの面振れ方向に揺動可能な支持部材が設けられており、支持部材の先端に、光磁気ディスクに磁界を印加するヘッド本体が取り付けられている。ヘッド本体は、光磁気ディスクと接触摺動するか、または、光磁気ディスクと微少な距離を保って浮上する摺動体を含み、ヘッド本体には、磁気ヘッド素子が装着されている。ここでは、摺動体が光磁気ディスクと接触摺動する場合について説明する。
【０００７】
光磁気ディスクに情報を記録するときの磁気ヘッド装置の位置は、光磁気ディスクに記録された情報を再生するときの磁気ヘッド装置の位置と異なっている。光磁気ディスクに情報を記録する場合、磁気ヘッド装置は、光磁気ディスクに磁界を印加するために光磁気ディスクに近接しているのに対して、光磁気ディスクに記録された情報を再生する場合、磁気ヘッド装置は光磁気ディスクに近接していない。なお、磁気ヘッド装置は、光磁気ディスクに情報を記録するとき以外は、光磁気ディスクに近接していない。例えば、光磁気ディスク装置に装填されていた光磁気ディスクを取り出した後、磁気ヘッド装置は光磁気ディスクに近接しておらず、光磁気ディスクに情報を記録するとき、磁気ヘッド装置は光磁気ディスクに近接するように移動する。本明細書において、光磁気ディスクに情報を記録するときの磁気ヘッド装置の位置を第１の位置と称し、それ以外のときの磁気ヘッド装置の位置を第２の位置と称する。磁気ヘッド装置が第１の位置にある場合、磁気ヘッド装置の摺動体は光磁気ディスクに近接しており、光磁気ディスクと接触摺動する。一方、磁気ヘッド装置が第２の位置にあるとき、リフトメカによって支持部材とヘッド本体とが持ち上げられ、支持部材およびヘッド本体は光磁気ディスクから離間する。
【０００８】
特許文献１は、従来の磁気ヘッド装置を開示している。以下、図２４〜図２７を参照して、特許文献１に開示された従来の磁気ヘッド装置１１０を説明する。
【０００９】
図２４（ａ）に示すように、固定板１４０は、磁気ヘッド１１８を固定する。磁気ヘッド１１８は、ヘッド本体１２０と、ヘッド本体１２０を支持し、ヘッド本体１２０を光磁気ディスクに加圧する支持部材１３７とを含む。支持部材１３７は、例えば、ステンレスおよびリン青銅などの薄板のばね材で形成され、支持部材１３７の一端は、スポット溶接、接着などの方法で固定板１４０に固定されている。
【００１０】
支持部材１３７は、固定板１４０の近くに配置された第１の弾性部１３８と、第１の弾性部１３８に連結された剛体部１３６と、剛体部１３６に連結された第２の弾性部１３２とを含む。剛体部１３６には絞りによって凹凸が形成されており、剛体部１３６は、第１の弾性部１３８および第２の弾性部１３２に対して剛体として機能する。第２の弾性部１３２は二股に分岐され、分岐された先端が連結されており、その先端には、ジンバル１３２ａが設けられている。ヘッド本体１２０は、ジンバル１３２ａに取り付けられている。また、第２の弾性部１３２には開口部が設けられている。第２の弾性部１３２の開口部にヘッド本体１２０が配置され、ヘッド本体１２０は、接着、融着などの方法によって揺動可能であるように第２の弾性部１３２に支持されている。
【００１１】
ヘッド本体１２０には磁気コア１２６が設けられており、磁気コア１２６は導線が巻回されたコイル１２７（図２５参照、図２４には図示せず）に装着されている。導線の先端は、半田によってフレキシブルプリント基板（以下、ＦＰＣと称する）１８０に固定され、コイル１２７は、半田を介してＦＰＣ１８０と電気的に接続されている。ＦＰＣ１８０から、記録すべき信号に対応した電流がコイル１２７を流れると、磁気コア１２６の中心磁極から光磁気ディスク１１２に、電流に応じた磁界が印加される。ヘッド本体１２０には、上側位置規制部１２２が設けられている。
【００１２】
固定板１４０には、ヘッド本体１２０に向かう方向（すなわち、−Ｙ方向）に延びたアーム部１４２が連結されており、アーム部１４２の先端には、＋Ｘ方向に延びた位置規制部１４４が連結されている。
【００１３】
図２４（ｂ）に示すように、第１の弾性部１３８は、ヘッド本体１２０を光磁気ディスクの面振れに追従させるように機能し、第２の弾性部１３２は光磁気ディスクの傾きにヘッド本体１２０を追従させるように機能する。ヘッド本体１２０には、摺動体１２３が設けられており、摺動体１２３は、光磁気ディスクに接触摺動する摺動部１２３ａを有している。上側位置規制部１２２は、ヘッド本体１２０の−Ｚ方向の位置を規制する。
【００１４】
次いで、ヘッド本体１２０を詳細に説明する。
【００１５】
図２５に示すように、ヘッド本体１２０は、装着部１２１と、装着部１２１に取り付けられた摺動体１２３と、装着部１２１に収納された磁気ヘッド素子１２４とを含む。磁気ヘッド素子１２４は磁界を印加する。上側位置規制部１２２は、２つの上側位置規制部（すなわち、上側位置規制部１２２ａおよび上側位置規制部１２２ｂ）からなり、上側位置規制部１２２ａは装着部１２１から＋Ｘ方向に延びており、上側位置規制部１２２ｂは装着部１２１から−Ｘ方向に延びている。上側位置規制部１２２は、樹脂材料によって装着部１２１と一体成形されている。摺動体１２３は、例えば、接着剤を用いて装着部１２１に固定することによって装着部１２１に一体的に取り付けられているか、又は、樹脂材料によって装着部１２１と一体成形されている。摺動体１２３は、良好な摺動性を有する樹脂、例えばポリフェニレンサルファイド、液晶ポリマーなどから形成されている。摺動体１２３は、光磁気ディスクに接触摺動する摺動部１２３ａを有している。摺動部１２３ａは、光磁気ディスクとの接触を安定に行うように形成されている。
【００１６】
磁気ヘッド素子１２４は、ボビン１２５と、磁気コア１２６と、コイル１２７とを含む。磁気コア１２６は、図２５（ｂ）に示すように、略Ｅ字形状を有し、焼成フェライト等の軟磁性体からなる。ボビン１２５に導線を巻回することによって、コイル１２７が形成されている。略Ｅ字形状を有する磁気コア１２６の中心磁極をコイル１２７が囲むように磁気コア１２６はコイル１２７に装着されている。ボビン１２５に巻回された導線の両端は半田によってＦＰＣ１８０（図２４参照）に固定され、コイル１２７は、半田を介してＦＰＣ１８０と電気的に接続されており、ＦＰＣ１８０からの電流がコイル１２７を流れる。
【００１７】
以下に、図２６および図２７を参照して、光磁気ディスクに情報を記録する場合および光磁気ディスクに記録された情報を再生する場合の磁気ヘッド装置１１０を説明する。
【００１８】
図２６に示すように、固定板１４０は、磁気ヘッド装置取り付け部１７１に固定されており、磁気ヘッド装置取り付け部１７１は、ＹＺ平面内で固定板１４０を回動可能にする機構を有している。光磁気ディスク１１２に情報を記録する場合、磁気ヘッド装置１１０は第２の位置から第１の位置に移動する。このとき、リフトメカ１７５は支持部材１３７から離間して光磁気ディスク１１２に近くづく方向に回動し、磁気ヘッド装置取り付け部１７１は下方向（−Ｚ方向）に傾くので、ヘッド本体１２０は光磁気ディスク１１２の方に移動して、ヘッド本体１２０は光磁気ディスク１１２と近接する。支持部材１３７はヘッド本体１２０に光磁気ディスク１１２に押し当てる方向の力を付与しており、ヘッド本体１２０は回転する光磁気ディスク１１２と接触摺動可能となる。
【００１９】
図２７に示すように、光磁気ディスク１１２に記録された情報を再生する場合、磁気ヘッド装置１１０は第１の位置から第２の位置に移動する。このとき、リフトメカ１７５は光磁気ディスク１１２から離間する方向に回動し、支持部材１３７およびアーム部１４２に当接して、支持部材１３７およびアーム部１４２を持ち上げ、磁気ヘッド装置取り付け部１７１は上方向（＋Ｚ方向）に傾くので、ヘッド本体１２０は光磁気ディスク１１２から離間する。このとき、位置規制部１４４は剛体部１３６に当接している。なお、ここでは、カードリッジを省略して示している。
【００２０】
光磁気ディスク装置は、しばしば携帯され、落下、輸送などによって強い衝撃を受けることがある。このとき、光磁気ディスク装置の磁気ヘッド装置１１０に、約１０００ｍ／ｓ2から５０００ｍ／ｓ2にも及ぶ衝撃が加わる。上述した磁気ヘッド装置１１０には２つの弾性部（すなわち、第１の弾性部１３８および第２の弾性部１３２）が設けられているが、衝撃によって、弾性部が塑性変形すると、その後、弾性部として機能しなくなる。
【００２１】
上述した磁気ヘッド装置１１０では、磁気ヘッド装置１１０が−Ｚ方向の衝撃を受ける場合、剛体部１３６が、位置規制部１４４に近づき、位置規制部１４４に当接し、位置規制部１４４は剛体部１３６の−Ｚ方向の位置を規制する。したがって、位置規制部１４４によって、第１の弾性部１３８が塑性変形することが防止される。
【００２２】
また、磁気ヘッド装置１１０が−Ｚ方向の衝撃を受ける場合、ヘッド本体１２０は−Ｚ方向に移動し、ヘッド本体１２０に設けられた上側位置規制部１２２は、第２の弾性部１３２に当接する。上側位置規制部１２２は、ヘッド本体１２０の−Ｚ方向の位置を規制するので、上側位置規制部１２２によって、第２の弾性部１３２が塑性変形することが防止される。
【特許文献１】特開平９−１６１４２７号公報
【発明の開示】
【発明が解決しようとする課題】
【００２３】
磁気ヘッド装置１１０の先端に設けられたヘッド本体１２０は比較的重く、ヘッド本体１２０を支持する第２の弾性部１３２が最も変形しやすい。上述したように、特許文献１に開示された磁気ヘッド装置１１０では、上側位置規制部１２２がヘッド本体１２０の位置を規制して、第２の弾性部１３２が塑性変形することを防止しているものの、磁気ヘッド装置１１０がより強い衝撃を受ける場合、上側位置規制部１２２が設けられたヘッド本体１２０は、上側位置規制部１２２が第２の弾性部１３２に当接した状態で、−Ｚ方向に移動し、結果として、第２の弾性部１３２が塑性変形するという問題が生じることがある。
【００２４】
本発明は、上記問題を解決するためになされたものであり、落下、輸送などの衝撃に対する信頼性の高い磁気ヘッド装置および光磁気ディスク装置を提供することを目的とする。
【課題を解決するための手段】
【００２５】
本発明の磁気ヘッド装置は、情報記録媒体に磁界を印加するヘッド本体と、本体部と、前記本体部に連結され、前記ヘッド本体が揺動可能なように前記ヘッド本体を支持する弾性部とを含む連結部と、前記ヘッド本体に設けられた第１の位置規制部であって、前記弾性部に当接することによって前記ヘッド本体の位置を規制する、第１の位置規制部と、前記弾性部に当接する前記第１の位置規制部の位置を規制することによって、前記ヘッド本体の位置を規制する第２の位置規制部とを備える。
【００２６】
好ましい実施形態において、前記第２の位置規制部は、前記弾性部を介して前記第１の位置規制部と対向するように配置されている。
【００２７】
好ましい実施形態において、前記第２の位置規制部は、前記弾性部および前記第１の位置規制部の少なくとも一方に当接して、前記第１の位置規制部の位置を規制する。
【００２８】
好ましい実施形態において、前記第２の位置規制部は、前記本体部に設けられている。
【００２９】
好ましい実施形態において、前記本体部は、前記弾性部に連結された剛体部と、前記剛体部に連結されたさらなる弾性部とを含む。
【００３０】
好ましい実施形態において、前記弾性部と前記剛体部と前記さらなる弾性部とは、支持部材によって形成される。
【００３１】
好ましい実施形態において、前記本体部は、前記支持部材を固定する固定部をさらに含む。
【００３２】
好ましい実施形態において、前記本体部は、アーム部材をさらに含み、前記第２の位置規制部は前記アーム部材に取り付けられている。
【００３３】
好ましい実施形態において、前記アーム部材は、前記固定部に連結されている。
【００３４】
好ましい実施形態において、前記アーム部材は、前記固定部に対して回動可能に設けられている。
【００３５】
好ましい実施形態において、前記第２の位置規制部の端部に摺動突起部が設けられている。
【００３６】
好ましい実施形態において、前記摺動突起部は曲面を有する。
【００３７】
好ましい実施形態において、前記第２の位置規制部は前記剛体部に設けられている。
【００３８】
好ましい実施形態において、前記第１の位置規制部は、前記ヘッド本体の重心の近傍に配置されている。
【００３９】
好ましい実施形態において、前記連結部は自由端と固定端とを有し、前記弾性部は前記連結部のうち自由端の側に配置され、前記本体部は前記連結部のうち固定端の側に配置され、前記第１の位置規制部は、前記ヘッド本体のうち前記連結部の前記固定端に最も近い部分以外の部分に設けられている。
【００４０】
好ましい実施形態において、前記第１の位置規制部が前記弾性部に当接することによって、前記ヘッド本体の重心が移動する向きと反対の向きの力を前記ヘッド本体の重心に対して付与するように、前記第１の位置規制部は前記ヘッド本体に設けられている。
【００４１】
好ましい実施形態において、前記連結部は、第１の方向に延びた形状を有しており、前記第１の位置規制部は、前記第１の方向と直交するように設けられている。
【００４２】
好ましい実施形態において、前記本体部の位置を規制する第３の位置規制部を備える。
【００４３】
好ましい実施形態において、前記第２の位置規制部は、前記第３の位置規制部に取り付けられている。
【００４４】
好ましい実施形態において、前記ヘッド本体に設けられた第４の位置規制部であって、前記本体部に当接することによって前記ヘッド本体の位置を規制する第４の位置規制部をさらに備える。
【００４５】
好ましい実施形態において、前記磁気ヘッド装置は、前記ヘッド本体が前記情報記録媒体と接触摺動するか、または、前記情報記録媒体から微少な距離を保って浮上する第１の位置と、前記ヘッド本体が前記情報記録媒体から離間した位置にある第２の位置との間で移動する。
【００４６】
本発明の磁気ヘッド装置は、情報記録媒体に磁界を印加するヘッド本体と、本体部と、前記本体部に連結され、前記ヘッド本体が揺動可能なように前記ヘッド本体を支持する弾性部とを含む連結部と、前記ヘッド本体に設けられた第１の位置規制部と、前記第１の位置規制部の位置を規制することによって、前記ヘッド本体の位置を規制する第２の位置規制部とを備え、前記本体部は、前記弾性部よりも高剛性の高剛性部を含み、前記第２の位置規制部は、前記高剛性部に連結されている。
【００４７】
好ましい実施形態において、前記第２の位置規制部は、前記第１の位置規制部に当接することによって、前記第１の位置規制部の位置を規制する。
【００４８】
好ましい実施形態において、前記弾性部は開口部を有し、前記第１の位置規制部は、前記弾性部の前記開口部内を移動して、前記第２の位置規制部に当接する。
【００４９】
好ましい実施形態において、前記弾性部は開口部を有し、前記ヘッド本体は、前記弾性部の前記開口部内に配置され、前記第１の位置規制部が前記弾性部をまたぐように、前記第１の位置規制部は前記ヘッド本体に設けられ、前記第１の位置規制部の一部は、前記弾性部の外を移動して、前記第２の位置規制部に当接する。
【００５０】
好ましい実施形態において、前記本体部は、前記弾性部に連結された剛体部と、前記剛体部に連結されたさらなる弾性部と、前記さらなる弾性部に隣接する固定部とを含み、前記高剛性部は、前記固定部であり、前記第２の位置規制部は、前記固定部に連結されている。
【００５１】
好ましい実施形態において、前記本体部は、前記弾性部に連結された剛体部と、前記剛体部に連結されたさらなる弾性部とを含み、前記高剛性部は、前記剛体部であり、前記第２の位置規制部は、前記剛体部に連結されている。
【００５２】
本発明の光磁気ディスク装置は、上記に記載の磁気ヘッド装置と、光学ヘッド装置とを備える。
【発明の効果】
【００５３】
本発明によれば、磁気ヘッド装置および光磁気ディスク装置の衝撃に対する信頼性を向上することができる。
【発明を実施するための最良の形態】
【００５４】
以下、添付の図面を参照して、本発明による磁気ヘッド装置および光磁気ディスク装置の実施形態を説明する。
【００５５】
なお、以下の説明では、情報記録媒体が光磁気ディスクである実施形態、すなわち、磁気ヘッド装置を光磁気ディスク装置に用いる実施形態を説明するが、本発明はこれに限定されない。情報記録媒体は、フレキシブルディスクおよびハードディスクに用いられる磁気ディスクであってもよく、本発明による磁気ヘッド装置は、磁気ディスク装置に用いられてもよい。
【００５６】
（実施形態１）
まず、図１Ａから図１１を参照して、本発明による光磁気ディスク装置１００および磁気ヘッド装置１０の第１の実施形態を説明する。本実施形態の光磁気ディスク装置１００は、図１Ａに示すように、磁気ヘッド装置１０と、光学ヘッド装置９０とを備える。光磁気ディスク装置１００には、光磁気ディスク１２が装填される。光磁気ディスク１２は、光磁気記録層を有する複数の層を含み、カートリッジ１４に収納されている。締結部材７０は、磁気ヘッド装置１０と光学ヘッド装置９０とを締結する。磁気ヘッド装置１０の固定板４０は、例えばシャフト、バネなどを介して、締結部材７０に、回動自在に取り付けられている。リフトメカ７５は、磁気ヘッド装置１０と光磁気ディスク１２との間に配置されており、リフトメカ７５の一端は湾曲している。リフトメカ７５が光磁気ディスク１２に近づく方向に回動すると、リフトメカ７５は磁気ヘッド装置１０の支持材３７と当接せず、これにより、ヘッド本体２０および支持部材３７は光磁気ディスク１２と近接する。一方、リフトメカ７５が光磁気ディスク１２から離間する方向に回動すると、リフトメカ７５は磁気ヘッド装置１０の支持材３７と当接し、これにより、磁気ヘッド装置１０のヘッド本体２０および支持部材３７は光磁気ディスク１２から離間する。光学ヘッド装置９０は、シャフト９１およびスクリュー軸９２によって、ベース９３に対して光磁気ディスク１２の半径方向に移動可能である。カートリッジ１４に収納された光磁気ディスク１２は、ホルダメカ７６に挿入され、ベース９３に取り付けられたスピンドルモータ９４に装着される。
【００５７】
図１Ｂは、光磁気ディスク１２が装填された光磁気ディスク装置１００の斜視図を示す。図１Ｂに示すように、カートリッジ１４には、光磁気ディスクの一部の両面を露出する開口部１６と、開口部１６を開放または閉塞するように移動するシャッター（図示せず）とが設けられている。光磁気ディスク１２の主面を記録再生面と称する。
【００５８】
締結部材７０は、板金を折り曲げることによって形成されたアングル７１と、シャフト７２と、ばね７３と、回動ベース７４とを備える。シャフト７２には回動ベース７４が回動自在に取り付けられており、回動ベース７４には、磁気ヘッド装置１０の固定板４０が接着、溶接、ねじ固定などの方法によって固定されている。締結部材７０は、光学ヘッド装置９０（図１Ａ参照）に固定されているため、固定板４０は、締結部材７０を介して光学ヘッド装置に固定されている。ばね７３によって回動ベース７４は−Ｚ方向に付勢されており、回動ベース７４を−Ｘ方向に延長した位置決め部が、アングル７１を−Ｙ方向に延長した受け部と当接し、固定板４０のＺ方向の位置、すなわち、高さが決められる。リフトメカ７５は、磁気ヘッド装置１０の磁気ヘッド１８を昇降する磁気ヘッド昇降装置として機能する。光磁気ディスク１２に情報を記録する場合、磁気ヘッド装置１０のヘッド本体２０は、カートリッジ１４の開放された開口部１６に進入する。
【００５９】
次いで、図２から図４を参照して、本実施形態の磁気ヘッド装置１０の構成を説明する。本実施形態の磁気ヘッド装置１０は、図２に示すように、光磁気ディスク１２（図１Ａおよび図１Ｂ参照）に磁界を印加するヘッド本体２０と、本体部３４と弾性部３２とを含む連結部３０と、ヘッド本体２０に設けられた第１の位置規制部２２と、第２の位置規制部５０とを備える。弾性部３２は、ヘッド本体２０が揺動可能なようにヘッド本体２０を支持する。ヘッド本体２０は、高弾性の弾性部３２に取り付けられており、ヘッド本体２０は弾性部３２に支持された範囲で弾性部３２に対して揺動可能になっている。ヘッド本体２０の構成の詳細は、図４を参照して後述する。ヘッド本体２０は、光磁気ディスク１２と接触摺動するか、または、光磁気ディスク１２から微少な距離を保って浮上する摺動体２３を含む。ここでは、摺動体２３が光磁気ディスク１２と接触摺動する場合について説明する。
【００６０】
連結部３０は、Ｙ方向に延びた形状を有しており、固定端３０ａと自由端３０ｂとを有する。連結部３０を構成する本体部３４および弾性部３２は、相互に連結されている。本体部３４は、連結部３０のうちの固定端３０ａの側に配置されており、弾性部３２は、連結部３０のうちの自由端３０ｂの側に配置されている。本体部３４は、剛体部３６と、弾性部３８と、固定板４０と、アーム部４２とを含む。
【００６１】
固定板４０は、金属から形成されており、磁気ヘッド１８を固定する。磁気ヘッド１８は、ヘッド本体２０と、ヘッド本体２０を光磁気ディスク１２の面に加圧する支持部材３７とを含む。支持部材３７は、例えばステンレスやリン青銅などの薄板のばね材から形成される。支持部材３７の一端には、接着、融着などの方法によってヘッド本体２０が取り付けられ、支持部材３７の他端は、固定板４０に電気溶接、レーザー溶接などの方法で固定されている。
【００６２】
支持部材３７から、固定板４０に隣接して配置された弾性部３８と、弾性部３８に連結された剛体部３６と、剛体部３６に連結された弾性部３２とが形成されている。支持部材３７は、弾性部３２内で折り曲げられている。以下の説明において、弾性部３８を第１の弾性部と称し、弾性部３２を第２の弾性部と称する。剛体部３６は、側壁を形成するように折り曲げられており、第１の弾性部３８および第２の弾性部３２に対して剛体として機能する。第２の弾性部３２は、二股に分岐され、分岐された先端が連結されており、その先端には、ジンバル３２ａが設けられている。第２の弾性部３２には開口部３２ｂが設けられている。ヘッド本体２０は、ジンバル３２ａに取り付けられ、第２の弾性部３２の開口部３２ｂに配置されている。ヘッド本体２０は、接着、融着などの方法によって揺動可能であるように第２の弾性部３２に支持されている。第１の弾性部３８は、ヘッド本体２０を光磁気ディスク１２の面振れに追従させるように機能し、第２の弾性部３２は、光磁気ディスク１２の傾きにヘッド本体２０を追従させるように機能する。
【００６３】
図３に示すように、固定板４０には、−Ｙ方向に延びたアーム部４２が平面的に連結されている。アーム部４２の−Ｙ方向の先端には、＋Ｘ方向に延びた位置規制部４４が連結されている。位置規制部４４には、−Ｙ方向に延びた第２の位置規制部５０が連結されている。このように、第２の位置規制部５０は、位置規制部４４を介してアーム部４２に連結されている。
【００６４】
ここで、再び図２を参照すると、アーム部４２は、アーム部４２に連結された第２の位置規制部５０が第２の弾性部３２よりも−Ｚ方向側に位置するように、Ｐ１で折り曲げられており、第２の位置規制部５０は、第２の弾性部３２を介して第１の位置規制部２２と対向するように配置されている。位置規制部４４は、剛体部３６の−Ｚ方向の位置を規制する。なお、本明細書の説明において、位置規制部４４を第３の位置規制部と称する。
【００６５】
図４に示すように、ヘッド本体２０は、装着部２１と、装着部２１に取り付けられた摺動体２３と、装着部２１に収納された磁気ヘッド素子２４とを含む。磁気ヘッド素子２４は磁界を印加する。上側（第1の）位置規制部２２は、２つの上側位置規制部（すなわち、上側位置規制部２２ａおよび上側位置規制部２２ｂ）からなり、上側位置規制部２２ａは装着部２１から＋Ｘ方向に延びており、上側位置規制部２２ｂは装着部２１から−Ｘ方向に延びている。上側位置規制部２２は、樹脂材料によって装着部２１と一体成形されている。摺動体２３は、例えば、接着剤を用いて装着部２１に固定することによって装着部２１に一体的に取り付けられているか、又は、樹脂材料によって装着部２１と一体成形されている。摺動体２３は、良好な摺動性を有する樹脂、例えばポリフェニレンサルファイド、液晶ポリマーなどから形成されており、光磁気ディスクに接触摺動する摺動部２３ａを有している。摺動部２３ａは、光磁気ディスクとの接触を安定に行うように形成されている。装着部２１には、＋Ｙ方向に延びた下側位置規制部２８が取り付けられている。なお、本明細書の説明において、下側位置規制部２８を第４の位置規制部と称する。
【００６６】
磁気ヘッド素子２４は、磁気コア２６と、コイル２７とを含む。磁気コア２６は、図４に示すように、略Ｅ字形状を有し、焼成フェライト等の軟磁性体からなる。コイル２７は、導線を巻回して形成されている。略Ｅ字形状を有する磁気コア２６の中心磁極をコイル２７が囲むように磁気コア２６がコイル２７に装着されている。コイル２７の両端は半田によってＦＰＣ（図示せず）に固定され、コイル２７は、半田を介してＦＰＣと電気的に接続されており、ＦＰＣからの電流がコイル２７を流れる。電流は、記録すべき信号に対応して変調されており、変調された電流がコイル２７を流れることによって磁気コア２６の中心磁極から、光磁気ディスク１２に変調磁界が印加される。
【００６７】
ここで、再び、図２を参照すると、第１の位置規制部２２は、ヘッド本体２０が−Ｚ方向に移動するときに、第２の弾性部３２と当接するようにヘッド本体２０に設けられており、第２の位置規制部５０は、ヘッド本体２０が−Ｚ方向に移動するときに、ヘッド本体２０に設けられた第１の位置規制部２２の位置を規制するように、位置規制部４４に連結されている。
【００６８】
以下に、図５および図６を参照して、光磁気ディスクに情報を記録する場合および光磁気ディスクに記録された情報を再生する場合の磁気ヘッド装置１０を説明する。
【００６９】
図５に示すように、光磁気ディスク１２に情報を記録する場合、磁気ヘッド装置１０は第２の位置から第１の位置に移動する。このとき、リフトメカ７５は、支持部材３７から離間して光磁気ディスク１２に近づく方向に回動するので、ヘッド本体２０は光磁気ディスク１２の方に移動して、ヘッド本体２０は光磁気ディスク１２と近接する。支持部材３７はヘッド本体２０に光磁気ディスク１２に押し当てる方向の力を付与しており、ヘッド本体２０は回転する光磁気ディスク１２と接触摺動可能となる。
【００７０】
図６に示すように、光磁気ディスク１２に記録された情報を再生する場合、磁気ヘッド装置１０は第１の位置から第２の位置に移動する。このとき、リフトメカ７５は光磁気ディスク１２から離間する方向に回動して、支持部材３７およびアーム部４２に当接して、支持部材３７およびアーム部４２を持ち上げるので、ヘッド本体２０は光磁気ディスク１２から離間する。このとき、位置規制部４４は剛体部３６に当接している。なお、ここでは、光磁気ディスク１２を収納するカードリッジ１４（図１Ａおよび図１Ｂ参照）を省略して示している。
【００７１】
なお、光磁気ディスクのうち再生専用の光磁気ディスクを収納する再生専用カートリッジには、磁気ヘッド１８側に開口部１６（図１Ｂ参照）が設けられていないため、磁気ヘッド装置１０の第２の位置ではヘッド本体２０がカートリッジ１４と接触しない位置まで光磁気ディスク１２から離間するようになっている。
【００７２】
ここで、磁気ヘッド装置１０が強い衝撃を受ける場合を考える。
【００７３】
磁気ヘッド装置１０が−Ｚ方向の衝撃を受ける場合、剛体部３６が位置規制部４４に近づき、剛体部３６が位置規制部４４に当接することで剛体部３６の位置が規制される。したがって、位置規制部４４によって、第１の弾性部３８が塑性変形することを防ぐことができる。
【００７４】
また、磁気ヘッド装置１０が−Ｚ方向の衝撃を受ける場合、ヘッド本体２０に設けられた第１の位置規制部２２が、第２の弾性部３２に近づき、第２の弾性部３２に当接して、ヘッド本体２０の位置を規制する。また、磁気ヘッド装置１０では、第１の位置規制部２２が第２の弾性部３２と当接することによって第２の弾性部３２が弾性変形し、第１の位置規制部２２および第２の弾性部３２が−Ｚ方向に移動する場合でも、第２の位置規制部５０が、第１の位置規制部２２の位置を規制し、それにより、第１の位置規制部２２が設けられたヘッド本体２０の位置を規制するので、第２の弾性部３２が塑性変形することを防ぐことができる。なお、第２の位置規制部５０は、第１の位置規制部２２に当接された第２の弾性部３２と当接することによって、第１の位置規制部２２の位置を規制する。
【００７５】
一方、磁気ヘッド装置１０が＋Ｚ方向の衝撃を受ける場合、ヘッド本体２０に設けられた下側位置規制部２８が、剛体部３６に近づき、剛体部３６に当接する。下側位置規制部２８は、剛体部３６と当接することによって、ヘッド本体２０の位置を規制し、ヘッド本体２０を支持する第２の弾性部３２が塑性変形することを防いでいる。
【００７６】
また、光磁気ディスク装置１００の外装（図示せず）は、磁気ヘッド装置１０を介して光磁気ディスク１２と対向するように配置されているので、第２の位置にある磁気ヘッド装置１０が＋Ｚ方向の衝撃を受ける場合、磁気ヘッド装置１０が＋Ｚ方向に移動して、外装に当接することによって、ヘッド本体２０の位置を規制している。
【００７７】
なお、上述したように、第２の位置規制部５０は、位置規制部４４を介してアーム部４２に連結されており、第２の位置規制部５０は、アーム部４２に連結された固定板４０とともにＺ方向に回動する。図５に示すように、磁気ヘッド装置１０が第１の位置にいるときに、第２の位置規制部５０は第２の弾性部３２と接触しないので、ヘッド本体２０は、第２の弾性部３２によって光磁気ディスク１２を良好に追従することができ、結果として、光磁気ディスク１２を高速に回転して、情報を高速に記録することが可能となる。
【００７８】
また、固定板４０は金属から形成されており、第２の位置規制部５０は、位置規制部４４およびアーム部４２を介して固定板４０に連結されている。したがって、第２の位置規制部５０が、第１の位置規制部２２に当接された第２の弾性部３２に当接されたとき、第２の位置規制部５０は、第２の弾性部３２を介して第１の位置規制部２２が設けられたヘッド本体２０に確実に力を付与することができ、ヘッド本体２０を支持する第２の弾性部３２が塑性変形することをより確実に防ぐことができる。
【００７９】
以上のように、本実施形態の磁気ヘッド装置１０によれば、落下、輸送などによって磁気ヘッド装置１０が強い衝撃を受けて、ヘッド本体２０が−Ｚ方向の衝撃を受ける場合でも、ヘッド本体２０に設けられた第１の位置規制部２２が第２の弾性部３２と当接することよって、ヘッド本体２０の位置を規制するとともに、第２の位置規制部５０が、第２の弾性部３２に当接する第１の位置規制部５０の位置を規制するので、第２の位置規制部５０によって、第２の弾性部３２が塑性変形することを防ぐことができる。
【００８０】
なお、より好ましくは、図７および図８に示すように、第１の位置規制部２２は、ヘッド本体２０のうち連結部３０の固定端３０ａに最も近い部分以外の部分に設けられる。そのために、第１の位置規制部２２は、ヘッド本体２０に含まれる装着部２１の＋Ｙ方向側の部分（図７に破線で示した部分）以外の部分でヘッド本体２０の装着部２１に取り付けられており、第１の位置規制部２２は、ヘッド本体２０の重心Ｇの近傍に配置されている。第１の位置規制部２２が第２の弾性部３２に当接することによってヘッド本体２０はヘッド本体２０が移動した向きとは反対向きの力を第１の位置規制部２２において受けるが、ヘッド本体２０のうち連結部３０の固定端３０ａに最も近い部分（すなわち、図７に破線で示した部分）に第１の位置規制部２２を設けると、ヘッド本体２０のうちの力を受ける部分である第１の位置規制部２２はヘッド本体２０の重心Ｇから大きく離れているため、第１の位置規制部２２が第２の弾性部３２に当接すると、ヘッド本体２０が受けた力は、ヘッド本体２０の重心の動きを抑制するのにそれほど寄与せず、ヘッド本体２０は大きく振動することになる。しかしながら、図８に示すように、ヘッド本体２０のうちの力を受ける部分である第１の位置規制部２２が、ヘッド本体２０の重心Ｇの近傍に配置されていると、第１の位置規制部２２によって受けた力Ｆのうちの大部分が、ヘッド本体２０の動きＶを抑制するために寄与することになり、第１の位置規制部２２が第２の弾性部３２に当接しても、ヘッド本体２０はそれほど振動しない。
【００８１】
さらに詳細には、第１の位置規制部２２を、ヘッド本体２０の磁気ヘッド素子２４の近傍に設けることが好ましい。なぜなら、磁気ヘッド素子２４を構成する磁気コア２６、コイル２７は金属であり、比重が高く、ヘッド本体２０の重心が磁気ヘッド素子２４内部またはその近傍にあるからである。このように、第１の位置規制部２２を、ヘッド本体２０のうち連結部３０の固定端３０ａに最も近い部分以外の部分に設けることが好ましい。例えば、図８に示すように、第１の位置規制部２２を、Ｙ方向と実質的に平行なヘッド本体２０の側部に設けることが好ましい。
【００８２】
さらに好ましくは、図９から図１１に示すように、第１の位置規制部２２が第２の弾性部３２に当接したときに、ヘッド本体２０の重心Ｇが移動する向きと反対の向きの力をヘッド本体２０の重心に対して付与するように、第１の位置規制部２２をヘッド本体２０に設ける。図１０および図１１に示すように、ヘッド本体２０のうちの力を受ける部分である第１の位置規制部２２が、ヘッド本体２０の重心Ｇの軌跡上にあると、第１の位置規制部２２によって受けた力Ｆのすべてが、ヘッド本体２０の動きＶを抑制するために寄与することになり、理想的には、ヘッド本体２０は振動しない。したがって、ヘッド本体２０の重心Ｇが移動する向きと反対の向きの力をヘッド本体２０の重心に対して付与するように、第１の位置規制部２２をヘッド本体２０に設けることが好ましい。
【００８３】
このように、第１の位置規制部２２がヘッド本体２０の重心の近傍に配置されるように第１の位置規制部２２をヘッド本体２０に設けることによって、第１の位置規制部２２が第２の弾性部３２に当接したときにヘッド本体２０が振動することを防ぐことができ、衝撃に対する磁気ヘッド装置１０の信頼性を向上させることができる。
【００８４】
なお、上述した実施形態では、支持部材３７に２つの弾性部（すなわち、第１の弾性部３８および第２の弾性部３２）が設けられているが、本発明の磁気ヘッド装置１０はこれに限定されない。支持部材３７には第１の弾性部３８が設けられていなくてもよい。
【００８５】
以上のように、本実施形態の磁気ヘッド装置１０によれば、ヘッド本体２０が−Ｚ方向に衝撃を受ける場合、第２の位置規制部５０は、第２の弾性部３２に当接する第１の位置規制部２２の位置を規制することによって、ヘッド本体２０の位置を規制するので、第２の弾性部３２が塑性変形することを防ぐことができる。したがって、衝撃に対する磁気ヘッド装置１０の信頼性を高めることができる。
【００８６】
また、本実施形態の磁気ヘッド装置１０によれば、磁気ヘッド装置１０が第１の位置にいるときに、第２の位置規制部５０はヘッド本体２０の位置を規制しないので、ヘッド本体２０は、光磁気ディスク１２に良好に追従することができ、結果として、光磁気ディスク１２を高速に回転して、情報を高速に記録することができる。
【００８７】
本実施形態の磁気ヘッド装置では、アーム部が固定板に平面的に連結されていたが、本発明はこれに限定されない。
【００８８】
（実施形態２）
以下に、図１２および図１３を参照して、本発明による磁気ヘッド装置１０の第２の実施形態を説明する。図１２および図１３において、上述して説明した構成要素と同様の機能を有する構成要素には、同じ参照符号を付しており、その詳細な説明を省略する。本実施形態の磁気ヘッド装置１０では、固定板４０Ａに対して回動アーム４２Ａが自在に回動する。
【００８９】
図１２に示すように、固定板４０Ａは、ステンレス板金によって形成されており、固定板４０Ａには、支持部材３７が接着、溶接などの方法によって固定されている。
【００９０】
板ばね４１は、リン青銅やステンレスなどの金属板によって形成されており、板ばね４１はヒンジ部を有し、溶接によって固定板４０Ａと回動アーム４２Ａとの両方に固定されている。
【００９１】
回動アーム４２ＡはＹ方向に延びている。回動アーム４２Ａは固定板４０Ａに対して板ばね４１のヒンジ部を中心に回動可能であり、回動アーム４２Ａの−Ｙ方向の端部は、板ばね４１によって光磁気ディスク１２の方向に加圧され、回動アーム４２Ａの＋Ｙ方向の端部は固定板４０Ａに当接して、回動アーム４２Ａは位置決めされている。回動アーム４２Ａの−Ｙ方向の先端には、＋Ｘ方向に延びた位置規制部４４が連結されている。位置規制部４４には、−Ｙ方向に延びた第２の位置規制部５０が連結されている。このように、第２の位置規制部５０は、位置規制部４４を介して回動アーム４２Ａに連結されている。回動アーム４２Ａは、回動アーム４２Ａに連結された第２の位置規制部５０が第２の弾性部３２よりも−Ｚ方向側に位置するように、Ｐ１で折り曲げられている。
【００９２】
図１３に示すように、磁気ヘッド装置１０が第２の位置にある場合、リフトメカ７５が光磁気ディスク１２から離間する方向に回動し、支持部材３７及び回動アーム４２Ａに当接して、支持部材３７及び回動アーム４２Ａを持ち上げ、ヘッド本体２０が光磁気ディスク１２から離間する。このとき、位置規制部４４は剛体部３６に当接している。
【００９３】
本実施形態の磁気ヘッド装置１０によれば、回動アーム４２Ａは固定板４０Ａに対して回動するように構成されているので、磁気ヘッド装置１０が第１の位置から第２の位置に移動するときに、回動アーム４２Ａは、シャフト７２（図１Ａ）ではなく、板ばね４１のヒンジ部近傍を中心として回動することができ、光磁気ディスク１２から回動アーム４２Ａが折り曲げられたＰ１までの距離を短くすることができる。
【００９４】
なお、本実施形態の磁気ヘッド装置１０でも、実施形態１において図７〜図１１を参照して説明したように、第１の位置規制部２２は、ヘッド本体２０のうち連結部３０の固定端３０ａに最も近い部分以外の部分に設けられていることが好ましく、また、第１の位置規制部２２が第２の弾性部３２に当接したときに、ヘッド本体２０の重心Ｇが移動する向きと反対の向きの力をヘッド本体２０の重心に対して付与するように第１の位置規制部２２をヘッド本体２０に設けることがさらに好ましい。
【００９５】
以上のように、本実施形態の磁気ヘッド装置１０によれば、磁気ヘッド装置１０の厚さを薄くすることができる。
【００９６】
（実施形態３）
以下、図１４〜図１６を参照して、本発明による磁気ヘッド装置１０の第３の実施形態を説明する。図１４〜図１６において、上述して説明した構成要素と同様の機能を有する構成要素には同じ参照符号を付しており、その詳細な説明を省略する。
【００９７】
図１４に示すように、回動アーム４２Ａは、Ｙ方向に延びており、ステンレスおよび鉄などの金属から形成されている。回動アーム４２Ａの−Ｙ方向の先端には、＋Ｘ方向に延びる位置規制部４４が連結されている。位置規制部４４には、−Ｙ方向に延びる第２の位置規制部５０が連結されている。
【００９８】
本実施形態の磁気ヘッド装置１０では、図１６に示すように、光磁気ディスク１２と対向する第２の位置規制部５０の先端の面に摺動突起部５０ａが設けられており、摺動突起部５０ａは、アウトサート成形などによって、第２の位置規制部５０と一体に形成されている。摺動突起部５０ａは、良好な摺動性を有する樹脂、例えば、ポリフェニレンサルファイド、液晶ポリマーなどから形成されている。摺動突起部５０ａは円筒を切り欠いた形状を有し、光磁気ディスク１２と対向する摺動突起部５０ａの表面は曲面を有している。
【００９９】
本実施形態の磁気ヘッド装置１０は、光磁気ディスク１２と対向する第２の位置規制部５０の面に、良好な摺動性を有する樹脂から形成された摺動突起部５０ａを有する点で、実施形態２の磁気ヘッド装置と異なる。
【０１００】
図１５に示すように、磁気ヘッド装置１０が第１の位置にある場合、リフトメカ７５は、回動アーム４２Ａおよび支持部材３７から離間して、光磁気ディスク１２に近づく方向に回動する。このとき、ヘッド本体２０は光磁気ディスク１２の方に移動し、ヘッド本体２０は光磁気ディスク１２と接触する。支持部材３７は、ヘッド本体２０を光磁気ディスク１２に押し当てる方向に力を付与するため、ヘッド本体２０は、回転する光磁気ディスク１２と接触摺動可能となる。
【０１０１】
また、回動アーム４２Ａは、板ばね４１によって、光磁気ディスク１２に押し当てる方向に力を付与されているため、第２の位置規制部５０の先端に設けられた摺動突起部５０ａは、回転する光磁気ディスク１２と接触摺動する。
【０１０２】
磁気ヘッド装置１０が第１の位置にあり、光磁気ディスク１２が回転しているときに面振れが生じると、ヘッド本体２０に設けられた第１の位置規制部２２および第１の位置規制部２２を支持する第２の弾性部３２は、Ｚ方向に揺動するが、本実施形態の磁気ヘッド装置１０では、第２の位置規制部５０に設けられた摺動突起部５０ａが回転する光磁気ディスク１２と接触摺動するため、第２の位置規制部５０も、第１の位置規制部２２、第２の弾性部３２と同様にＺ方向に揺動する。したがって、本実施形態の磁気ヘッド装置１０では、第２の位置規制部５０と第２の弾性部３２との間の距離が変動しないか、または、変動する量が小さい。したがって、磁気ヘッド装置１０が情報を記録しているときに第２の弾性部３２が第２の位置規制部５０に当接することを防ぎ、光磁気ディスク１２を高速に回転して、情報を高速に記録することが可能となる。また、第２の位置規制部５０を第２の弾性部３２に近接して配置することができ、磁気ヘッド装置１０を薄くすることができる。
【０１０３】
なお、上述した説明では、回動アーム４２Ａは、金属から形成されたが、摺動突起部５０ａと同じ樹脂から形成されてもよく、あるいは、摺動突起部５０ａと一体に形成されてもよい。
【０１０４】
また、本実施形態の磁気ヘッド装置１０でも、実施形態１において図７〜図１１を参照して説明したように、第１の位置規制部２２は、ヘッド本体２０のうち連結部３０の固定端３０ａに最も近い部分以外の部分に設けられていることが好ましく、また、第１の位置規制部２２が第２の弾性部３２に当接したときに、ヘッド本体２０の重心Ｇが移動する向きと反対の向きの力をヘッド本体２０の重心に対して付与するように第１の位置規制部２２をヘッド本体２０に設けることがさらに好ましい。
【０１０５】
以上のように、本実施形態の磁気ヘッド装置１０によれば、磁気ヘッド装置１０が情報を記録しているときに第２の弾性部３２が第２の位置規制部５０に当接することを防ぐことができるので、情報を高速に記録することが可能となるとともに、磁気ヘッド装置１０をより薄くすることができる。
【０１０６】
（実施形態４）
以下、図１７〜図１９を参照して、本発明による磁気ヘッド装置１０の第４の実施形態を説明する。図１７〜図１９において、上述して説明した構成要素と同様の機能を有する構成要素には、同じ参照符号を付しており、その詳細な説明を省略する。
【０１０７】
本実施形態の磁気ヘッド装置１０は、第２の位置規制部５０Ａが剛体部３６Ａに設けられている点で、上述した磁気ヘッド装置とは異なる。
【０１０８】
図１７に示すように、第２の位置規制部５０Ａは、剛体部３６Ａに形成された側壁部をさらに折り曲げることによって、形成されている。第２の位置規制部５０Ａは、第２の弾性部３２を介して第１の位置規制部２２と対向している。支持部材３７は、例えば、ステンレスやリン青銅などの薄板のばね材から形成される。支持部材３７は、固定板４０に隣接した第１の弾性部３８と、第１の弾性部３８に連結された剛体部３６Ａと、剛体部３６Ａに連結された第２の弾性部３２とを含む。第２の位置規制部５０Ａは、剛体部３６Ａに形成された側壁を、さらに折り曲げることによって、剛体部３６Ａと一体に形成されている。第２の位置規制部５０Ａと第２の弾性部３２とは所定の間隔だけ離れて配置されている。
【０１０９】
図１８に示すように、第２の弾性部３２は二股に分岐され、分岐された先端が連結されており、第２の弾性部３２には開口部３２ｂが設けられている。第２の弾性部３２の開口部３２ｂにヘッド本体２０が配置され、ヘッド本体２０は、接着、融着などの方法によって揺動可能であるように第２の弾性部３２に支持されている。ヘッド本体２０の摺動部２３は、摺動体２３ａを有する。
【０１１０】
図１９に示すように、磁気ヘッド装置１０が第１の位置にある場合、光磁気ディスク１２が回転することによって、光磁気ディスク１２に面振れが生じる。本実施形態の磁気ヘッド装置１０では、第２の位置規制部５０Ａが支持部材３７と一体に形成されているため、面振れによってヘッド本体２０に設けられた第１の位置規制部２２およびヘッド本体２０を支持する第２の弾性部３２がＺ方向に揺動すると、第２の位置規制部５０Ａは、第２の弾性部３２および第１の位置規制部２２と同じようにＺ方向に揺動する。したがって、磁気ヘッド装置１０が第１の位置にいるときに第２の弾性部３２が第２の位置規制部５０Ａに当接することを防ぐことができ、光磁気ディスク１２を高速に回転して、情報を高速に記録することが可能となる。また、第２の位置規制部５０Ａを第２の弾性部３２に近接して配置することができ、磁気ヘッド装置１０を薄くすることができる。
【０１１１】
また、剛体部３６Ａは、支持部材３７を折り曲げることによって、第１の弾性部３８および第２の弾性部３２に対して剛体として機能するように、形成されており、第２の位置規制部５０Ａは、剛体部３６Ａに連結されている。したがって、第２の位置規制部５０Ａが、第１の位置規制部２２に当接された第２の弾性部３２に当接されたとき、第２の位置規制部５０Ａは、第２の弾性部３２を介して第１の位置規制部２２が設けられたヘッド本体２０に確実に力を付与することができ、ヘッド本体２０を支持する第２の弾性部３２が塑性変形することをより確実に防ぐことができる。
【０１１２】
なお、上述した説明では、支持部材３７の一部を折り曲げることによって、第２の位置規制部５０Ａを形成したが、第２の位置規制部５０Ａを、樹脂とし、アウトサート成形などによって支持部材３７と一体に形成してもよい。
【０１１３】
また、本実施形態の磁気ヘッド装置１０でも、実施形態１において図７〜図１１を参照して説明したように、第１の位置規制部２２は、ヘッド本体２０のうち連結部３０の固定端３０ａに最も近い部分以外の部分に設けられていることが好ましく、また、第１の位置規制部２２が第２の弾性部３２に当接したときに、ヘッド本体２０の重心Ｇが移動する向きと反対の向きの力をヘッド本体２０の重心に対して付与するように第１の位置規制部２２をヘッド本体２０に設けることがさらに好ましい。
【０１１４】
以上のように、本実施形態の磁気ヘッド装置１０によれば、光磁気ディスク１２の面揺れに起因する、第２の位置規制部５０Ａと第２の弾性部３２との間の距離の変動を小さくすることができるので、磁気ヘッド装置１０を薄くすることができる。また、剛体部３６Ａと一体に形成した第２の位置規制部５０Ａを設けることで、アーム部材が必要とすることなく、衝撃に対する磁気ヘッド装置１０の信頼性を高くすることができるので、部品点数を削減することができ、結果として、光磁気ディスク装置のコストを抑えることができる。
【０１１５】
なお、上述した実施形態では、第２の位置規制部５０、５０Ａは、第１の位置規制部２２に当接された第２の弾性部３２と当接することによって第１の位置規制部２２の位置を規制したが、本発明の磁気ヘッド装置１０はこれに限定されない。第２の位置規制部５０、５０Ａは、第１の位置規制部２２および第２の弾性部３２の少なくとも一方と当接することによって、第１の位置規制部２２の位置を規制してもよい。
【０１１６】
また、上述した実施形態１〜４の磁気ヘッド装置１０では、第１の位置規制部２２に当接された第２の弾性部３２が第２の位置規制部５０、５０Ａと当接することによって、第１の位置規制部２２の位置、ひいては、第１の位置規制部２２が設けられたヘッド本体２０の位置が規制されるので、ヘッド本体２０を支持する第２の弾性部３２が塑性変形することを防ぐことができる。
【０１１７】
（実施形態５）
以下、図２０〜図２３を参照して、本発明による磁気ヘッド装置の第５の実施形態を説明する。本実施形態の磁気ヘッド装置は、第１の位置規制部２２が第２の弾性部３２を介することなく第２の位置規制部５０に当接する点で実施形態１〜４の磁気ヘッド装置と異なる。図２０〜図２３において、実施形態１〜４で説明した構成要素と同様の機能を有する構成要素には、同じ参照符号を付しており、その詳細な説明を省略する。
【０１１８】
図２０および図２１に示すように、本実施形態の磁気ヘッド装置１０は、ヘッド本体２０に設けられた第１の位置規制部２２が短い点で、図２を参照して説明した実施形態１の磁気ヘッド装置とは異なる。
【０１１９】
ヘッド本体２０に設けられた第１の位置規制部２２は、第２の位置規制部５０と対向しており、第１の位置規制部２２が短いので、ヘッド本体２０が−Ｚ方向に移動したとき、第１の位置規制部２２は、第２の弾性部３２に当接することなく、第２の弾性部３２に設けられた開口部３２ｂ内を通過し、第２の位置規制部５０と当接する。
【０１２０】
実施形態１の磁気ヘッド装置と同様に、本実施形態の磁気ヘッド装置１０でも、固定板４０は金属から形成されており、第２の位置規制部５０は、位置規制部４４およびアーム部４２を介して固定板４０に連結されている。したがって、第２の位置規制部５０が、第１の位置規制部２２に当接されたとき、第２の位置規制部５０は第１の位置規制部２２が設けられたヘッド本体２０に確実に力を付与することができ、ヘッド本体２０を支持する第２の弾性部３２が塑性変形することを防ぐことができる。
【０１２１】
上述した実施形態では、ヘッド本体２０に設けられた第１の位置規制部２２が、第２の弾性部３２に設けられた開口部３２ｂ内を通過して、第２の位置規制部５０と当接したが、本発明はこれに限定されない。
【０１２２】
本実施形態の変形例の磁気ヘッド装置１０は、図２２および図２３に示すように、第１の位置規制部２２の一部が、第２の弾性部３２の外を通過して、第２の位置規制部５０と当接する点で、図２０および図２１を参照して説明した磁気ヘッド装置とは異なる。
【０１２３】
本実施形態の変形例の磁気ヘッド装置１０では、第２の弾性部３２の開口部３２ｂ内にヘッド本体２０が配置され、第１の位置規制部２２が第２の弾性部３２をまたぐように第１の位置規制部２２はヘッド本体２０に設けられている。詳細には、第１の位置規制部２２はＬ字形状を有しており、第２の弾性部３２をまたぐようにＸ方向に延びた第１の部分と、第１の部分の先端から−Ｚ方向に延びた第２の部分とによって形成されている。第２の位置規制部５０は、第１の位置規制部２２の第２の部分と対向するように設けられており、ヘッド本体２０が−Ｚ方向に移動するときに、第１の位置規制部２２の第２の部分は、第２の弾性部３２の外を通過し、第２の位置規制部５０に当接する。
【０１２４】
本実施形態の変形例の磁気ヘッド装置１０でも、固定板４０は金属から形成されており、第２の位置規制部５０は、位置規制部４４およびアーム部４２を介して固定板４０に連結されている。したがって、第２の位置規制部５０が、第１の位置規制部２２に当接されたとき、第２の位置規制部５０は第１の位置規制部２２が設けられたヘッド本体２０に確実に力を付与することができ、ヘッド本体２０を支持する第２の弾性部３２が塑性変形することを防ぐことができる。
【０１２５】
なお、第１の位置規制部２２の第２の部分が第２の位置規制部５０に当接するときに、第１の位置規制部２２の第１の部分が、第２の弾性部３２に当接しても、第２の弾性部３２に当接しなくても、ヘッド本体２０を支持する第２の弾性部３２が塑性変形することを防ぐことができる。
【０１２６】
また、本実施形態の磁気ヘッド装置１０においても、第１の位置規制部２２は、実施形態１において図７〜図１１を参照して説明したのと同様に、ヘッド本体２０のうち連結部３０の固定端３０ａに最も近い部分以外の部分に設けられていることが好ましい。また、第１の位置規制部２２が第２の弾性部３２に当接したときに、ヘッド本体２０の重心Ｇが移動する向きと反対の向きの力をヘッド本体２０の重心に対して付与するように第１の位置規制部２２をヘッド本体２０に設けることがさらに好ましい。本実施形態の磁気ヘッド装置１０では、第１の位置規制部２２が、第２の弾性部３２に当接することなく、第２の位置規制部５０に当接するが、実施形態１において図７〜図１１を参照して説明したのと同様の効果を得ることができる。
【０１２７】
また、実施形態１〜４の磁気ヘッド装置と同様に、本実施形態の磁気ヘッド装置１０でも、磁気ヘッド装置１０が第１の位置にいるときに、第２の位置規制部５０はヘッド本体２０の位置を規制しないので、ヘッド本体２０は、光磁気ディスク１２に良好に追従することができ、結果として、光磁気ディスク１２を高速に回転して、情報を高速に記録することができる。
【０１２８】
また、第２の位置規制部５０は、固定板４０に連結されていたが、図１７〜図１９を参照して説明した実施形態４の磁気ヘッド装置のように、剛体部３６Ａを折り曲げることによって、第２の位置規制部５０Ａを形成してもよい。この場合も、剛体部３６Ａに連結された第２の位置規制部５０Ａによってヘッド本体２０の位置が規制されるので、ヘッド本体２０を支持する第２の弾性部３２が塑性変形することを防ぐことができる。
【０１２９】
また、上述した説明では、第２の位置規制部５０、５０Ａは、固定板４０または剛体部３６Ａに連結されていたが、第２の位置規制部は、本体部３４のうち第２の弾性部３２の弾性部よりも高剛性の高剛性部に連結されていれば、ヘッド本体２０を支持する第２の弾性部３２が塑性変形することを防ぐことができる。
【０１３０】
なお、上述した実施形態１〜５では、固定板４０、４０Ａは金属から形成されていたが、固定板４０はこれに限定されない。固定板４０、４０Ａは、ポリフェニレンサレファイド、液晶ポリマー、ポリカーボネイトなどの樹脂を成形することによって形成してもよい。その場合、樹脂にガラスファイバーやカーボンファイバーなどの強化添加物を添加することが望ましい。
【０１３１】
また、ヘッド本体２０に２つの第１の位置規制部（すなわち、第１の位置規制部２２ａおよび２２ｂ）が設けられていたが、本発明による磁気ヘッド装置はこれに限定されない。上述した２つの第１の位置規制部は一体化されていてもよい。
【０１３２】
また、磁気ヘッド装置は、情報記録媒体である光磁気ディスクに接触摺動するヘッド本体を備えていたが、本発明による磁気ヘッド装置は、これに限定されない。本発明による磁気ヘッド装置は、例えば、光磁気ディスクが回転することにより光磁気ディスクから略一定距離を保って浮上するタイプのヘッド本体を備えていてもよい。
【０１３３】
なお、上述した実施形態では、情報記録媒体の一例として光磁気ディスクを用いていたが、本発明はこれに限定されない。本発明において、情報記録媒体は、例えば、フレキシブルディスク、ハードディスクに用いられる磁気ディスクであってもよく、本発明による磁気ヘッド装置は、磁気ディスク装置に用いられてもよい。特に、本発明による磁気ヘッド装置は、光磁気ディスク装置に用いられることが好ましい。なぜなら、光磁気ディスク装置に光磁気ディスクが装填されていない場合、磁気ヘッド装置は第２の位置にあり、そのとき、光磁気ディスク装置が強い衝撃を受けると、磁気ヘッド装置の弾性部が大きく変形することになり、磁気ヘッド装置はより大きな損傷を受けることになる。したがって、本発明の磁気ヘッド装置を用いることによって、衝撃に対する磁気ヘッド装置の信頼性をより向上させることができる。
【産業上の利用可能性】
【０１３４】
本発明によれば、磁気ヘッド装置を備えた光磁気ディスク装置が落下、輸送などによって強い衝撃を受ける場合でも、磁気ヘッド装置の弾性部が塑性変形することを防ぐことができる。また、情報を記録するときに、第２の位置規制部が弾性部に当接しないので、情報を高速に記録することができる。
【図面の簡単な説明】
【０１３５】
【図１Ａ】本発明の実施形態１による光磁気ディスク装置の分解斜視図である。
【図１Ｂ】本発明の実施形態１による光磁気ディスク装置に用いられた磁気ヘッド装置の斜視図である。
【図２】本発明の実施形態１による磁気ヘッド装置の要部斜視図である。
【図３】本発明の実施形態１による磁気ヘッド装置の固定板、アーム部、下側位置規制部、第２の位置規制部の上面図である。
【図４】本発明の実施形態１による磁気ヘッド装置のヘッド本体および第１の位置規制部の分解斜視図である。
【図５】本発明の実施形態１による磁気ヘッド装置の第１の位置における正面図である。
【図６】本発明の実施形態１による磁気ヘッド装置の第２の位置における正面図である。
【図７】本発明の実施形態１による磁気ヘッド装置の上面図である。
【図８】図７のＡ−Ａ’線断面図である。
【図９】本発明の実施形態１による磁気ヘッド装置の上面図である。
【図１０】本発明の実施形態１による磁気ヘッド装置の正面図である。
【図１１】図９のＡ−Ａ’線断面図である。
【図１２】本発明の実施形態２による磁気ヘッド装置の要部斜視図である。
【図１３】本発明の実施形態２による磁気ヘッド装置の第２の位置における正面図である。
【図１４】本発明の実施形態３による磁気ヘッド装置の斜視図である。
【図１５】本発明の実施形態３による磁気ヘッド装置の第１の位置における正面図である。
【図１６】本発明の実施形態３による磁気ヘッド装置の固定板、回動アーム、下側位置規制部、第２の位置規制部の背面図である。
【図１７】本発明の実施形態４による磁気ヘッド装置の要部斜視図である。
【図１８】本発明の実施形態４による磁気ヘッド装置の要部背面図である。
【図１９】本発明の実施形態４による磁気ヘッド装置の第１の位置における正面図である。
【図２０】本発明の実施形態５による磁気ヘッド装置の斜視図である。
【図２１】本発明の実施形態５による磁気ヘッド装置の要部上面図である。
【図２２】本発明の実施形態５の変形例による磁気ヘッド装置の斜視図である。
【図２３】本発明の実施形態５の変形例による磁気ヘッド装置の要部背面図である。
【図２４】従来の磁気ヘッド装置の構成図、（ａ）は上面図、（ｂ）は正面図である。
【図２５】従来の磁気ヘッド装置のヘッド本体および上側位置規制部の構成図、（ａ）は上面図、（ｂ）は正面断面図、（ｃ）は右側面図である。
【図２６】従来の磁気ヘッド装置の第１の位置における正面図である。
【図２７】従来の磁気ヘッド装置の第２の位置における正面図である。
【符号の説明】
【０１３６】
１０    磁気ヘッド装置
１２    光磁気ディスク
１４    カートリッジ
１６    開口部
１８    磁気ヘッド
２０    ヘッド本体
２１    装着部
２２    第１の位置規制部
２３    摺動体
２３ａ  摺動部
２４    磁気ヘッド素子
２６    磁気コア
２７    コイル
２８    第４の位置規制部
３０    連結部
３２    第２の弾性部
３４    本体部
３６    第１の弾性部
３７    支持部材
３８    剛体部
４０    固定板
４１    板ばね
４２    アーム部
４２Ａ  回動アーム
４４    第３の位置規制部
５０    第２の位置規制部
５０ａ  摺動突起部
７０    締結部材
７１    アングル
７２    シャフト
７３    ばね
７４    回動ベース
７５    リフトメカ
【図１Ａ】
2005317174.tif 000003
【図１Ｂ】
2005317174.tif 000004
【図２】
2005317174.tif 000005
【図３】
2005317174.tif 000006
【図４】
2005317174.tif 000007
【図５】
2005317174.tif 000008
【図６】
2005317174.tif 000009
【図７】
2005317174.tif 000010
【図８】
2005317174.tif 000011
【図９】
2005317174.tif 000012
【図１０】
2005317174.tif 000013
【図１１】
2005317174.tif 000014
【図１２】
2005317174.tif 000015
【図１３】
2005317174.tif 000016
【図１４】
2005317174.tif 000017
【図１５】
2005317174.tif 000018
【図１６】
2005317174.tif 000019
【図１７】
2005317174.tif 000020
【図１８】
2005317174.tif 000021
【図１９】
2005317174.tif 000022
【図２０】
2005317174.tif 000023
【図２１】
2005317174.tif 000024
【図２２】
2005317174.tif 000025
【図２３】
2005317174.tif 000026
【図２４】
2005317174.tif 000027
【図２５】
2005317174.tif 000028
【図２６】
2005317174.tif 000029
【図２７】
2005317174.tif 000030